(57)【特許請求の範囲】
【請求項１】
ネットワークを介して相互に接続される通信端末とネットワークサーバとで構成されるデータ収集システムであって、
前記通信端末は、
購入された商品に付されている当該商品固有のデータを読み取る読取手段と、
この読取手段により読み取られた前記商品固有のデータの数が所定数に達したか否かを判断する第１の判断手段と、
この第１の判断手段による判断の結果、前記商品固有のデータの数が所定数に達したと判断した場合、前記読取手段により読み取られた前記商品固有のデータと、前記商品の購入数が所定数に達した旨を示すデータと、前記商品の購入者を特定するデータとを送信する送信手段と
を備え、
前記ネットワークサーバは、
前記送信手段により送信される前記商品固有のデータと、前記商品の購入数が所定数に達した旨を示すデータと、前記商品の購入者を特定するデータとを受信する受信手段と、
この受信手段により受信された前記商品固有のデータと、前記商品の購入数が所定数に達した旨を示すデータと、前記商品の購入者を特定するデータとを関連付けて記憶する記憶手段と
を備えることを特徴とするデータ収集システム。
【請求項２】
ネットワークを介して相互に接続される通信端末とネットワークサーバとで構成されるデータ収集システムであって、
前記通信端末は、
購入された商品に付されている当該商品固有のデータを読み取る読取手段と、
購入された商品の合計金額を算出する算出手段と、
この算出手段により算出された前記合計金額が所定の金額となる毎にカウントアップするカウント手段と、
このカウント手段によりカウントされた数が所定数に達したか否かを判断する第２の判断手段と、
この第２の判断手段による判断の結果、前記カウントされた数が所定数に達したと判断した場合、前記読取手段により読み取られた前記商品固有のデータと、前記商品の購入金額が所定金額に達した旨を示すデータと、前記前記商品の購入者を特定するデータとを送信する送信手段と
を備え、
前記ネットワークサーバは、
前記送信手段により送信される前記商品固有のデータと、前記商品の購入金額が所定金額に達した旨を示すデータと、前記前記商品の購入者を特定するデータとを受信する受信手段と、
この受信手段により受信された前記商品固有のデータと、前記前記商品の購入金額が所定金額に達した旨を示すデータと、前記商品の購入者を特定するデータとを関連付けて記憶する記憶手段と
を備えることを特徴とするデータ収集システム。
【請求項３】
前記商品固有のデータとはバーコードデータであり、前記読取手段はバーコードリーダであることを特徴とする請求項１又は２に記載のデータ収集システム。
【請求項４】
前記読取手段は、撮像装置であることを特徴とする請求項１又は２に記載のデータ収集システム。
【請求項５】
ネットワークを介して相互に接続される通信端末とネットワークサーバとを用いるデータ収集方法であって、
前記通信端末では、
購入された商品に付されている当該商品固有のデータを読み取る読取ステップと、
この読取ステップにて読み取られた前記商品固有のデータの数が所定数に達したか否かを判断する第１の判断ステップと、
この第１の判断ステップによる判断の結果、前記商品固有のデータの数が所定数に達したと判断した場合、前記読取ステップにて読み取られた前記商品固有のデータと、前記商品の購入数が所定数に達した旨を示すデータと、前記商品の購入者を特定するデータとを送信する送信ステップと
を実行し、
前記ネットワークサーバでは、
前記送信ステップにて送信される前記商品固有のデータと、前記商品の購入数が所定数に達した旨を示すデータと、前記商品の購入者を特定するデータとを受信する受信ステップと、
この受信ステップにて受信された前記商品固有のデータと、前記商品の購入数が所定数に達した旨を示すデータと、前記商品の購入者を特定するデータとを関連付けて記憶させる記憶ステップと
を実行することを特徴とするデータ収集方法。
【請求項６】
ネットワークを介して相互に接続される通信端末とネットワークサーバとを用いるデータ収集方法であって、
前記通信端末では、
購入された商品に付されている当該商品固有のデータを読み取る読取ステップと、
購入された商品の合計金額を算出する算出ステップと、
この算出ステップにて算出された前記合計金額が所定の金額となる毎にカウントアップするカウントステップと、
このカウントステップにてカウントされた数が所定数に達したか否かを判断する第２の判断ステップと、
この第２の判断ステップによる判断の結果、前記カウントされた数が所定数に達したと判断した場合、前記読取手段により読み取られた前記商品固有のデータと、前記商品の購入金額が所定金額に達した旨を示すデータと、前記商品の購入者を特定するデータとを送信する送信ステップと
を実行し、
前記ネットワークサーバでは、
前記送信ステップにて送信される前記商品固有のデータと、前記商品の購入金額が所定金額に達した旨を示すデータと、前記商品の購入者を特定するデータとを受信する受信ステップと、
この受信ステップにて受信された前記商品固有のデータと、前記前記商品の購入金額が所定金額に達した旨を示すデータと、前記商品の購入者を特定するデータとを関連付けて記憶する記憶ステップと
を実行することを特徴とするデータ収集方法。
【請求項７】
購入された商品に付されている当該商品固有のデータを読み取る読取手段と、
この読取手段により読み取られた前記商品固有のデータの数が所定数に達したか否かを判断する第１の判断手段と、
この第１の判断手段による判断の結果、前記商品固有のデータの数が所定数に達したと判断した場合、前記読取手段により読み取られた前記商品固有のデータと、前記商品の購入数が所定数に達した旨を示すデータと、前記商品の購入者を特定するデータとを外部に送信する送信手段と
を備えたことを特徴とする通信端末。
【請求項８】
購入された商品に付されている当該商品固有のデータを読み取る読取手段と、
購入された商品の合計金額を算出する算出手段と、
この算出手段により算出された前記合計金額が所定の金額となる毎にカウントアップするカウント手段と、
このカウント手段によりカウントされた数が所定数に達したか否かを判断する第２の判断手段と、
この第２の判断手段による判断の結果、前記カウントされた数が所定数に達したと判断した場合、前記読取手段により読み取られた前記商品固有のデータと、前記商品の購入金額が所定金額に達した旨を示すデータと、前記商品の購入者を特定するデータとを送信する送信手段と
を備えたことを特徴とする通信端末。
【請求項９】
通信部と読取部とを備える通信機器が有するコンピュータを、
購入された商品に付されている当該商品固有のデータを前記読取部に読み取らせる読取手段、
この読取手段により読み取られた前記商品固有のデータの数が所定数に達したか否かを判断する第１の判断手段、
この第１の判断手段による判断の結果、前記商品固有のデータの数が所定数に達したと判断した場合、前記通信部に前記読取手段により読み取られた前記商品固有のデータと、前記商品の購入数が所定数に達した旨を示すデータと、前記商品の購入者を特定するデータと送信させる送信手段
として機能させることを特徴とする送信プログラム。
【請求項１０】
通信部と読取部とを備える通信機器が有するコンピュータを、
購入された商品に付されている当該商品固有のデータを前記読取部に読み取らせる読取手段、
購入された商品の合計金額を算出する算出手段、
この算出手段により算出された前記合計金額が所定の金額となる毎にカウントアップするカウント手段、
このカウント手段によりカウントされた数が所定数に達したか否かを判断する第２の判断手段、
この第２の判断手段による判断の結果、前記カウントされた数が所定数に達したと判断した場合、前記通信部に前記読取手段により読み取られた前記商品固有のデータと、前記商品の購入金額が所定金額に達した旨を示すデータと、前記商品の購入者を特定するデータとを送信させる送信手段
として機能させることを特徴とする送信プログラム。
【発明の詳細な説明】
【０００１】
【発明の属する技術分野】
【０００２】
本発明は、商品のメーカー等が実施する、当該商品購入者に関連するデータを収集するデータ収集システム、データ収集方法、通信端末、及び、送信プログラムに関する。
【０００３】
【発明の背景】
【０００４】
従来より、各種商品のメーカーでは商品の拡販や消費者分析等のデータ収集を目的としたキャンペーンや各種懸賞募集を実施することが知られている。その一例として、缶入り飲料のメーカーが缶の表面に懸賞応募用のシールを剥離可能に貼付し、当該缶入り飲料を購入した消費者が、シールを缶から剥がした後、葉書に貼付する。そして、このシールを貼付した葉書に応募者の氏名、住所等を記入して、メーカー宛てに郵送することにより消費者の情報を得ると同時に懸賞への応募が認定され、抽選で各種商品が付与される。
【０００５】
【発明が解決しようとする課題】
【０００６】
しかしながら、このような従来の葉書を用いた郵送によるデータ収集、ならびに、懸賞方法にあっては、商品からシールを剥がして葉書に貼付し、更には葉書を投函しなければならず、手間が掛かり煩わしいことから、これに起因してメーカーが期待するほどの応募者数に達しないのが実情である。また、メーカーは応募された葉書に記載されている応募者の氏名や住所等の応募者情報をコンピュータを用いた消費者分析のための情報として利用しようとする。しかし、葉書に書かれた情報をコンピュータにより分析可能な情報とするためには、インプット作業等の事前処理が必要となり、迅速かつ円滑に応募者情報を利用することができない。
【０００７】
本発明では、このような問題点に鑑みてなされたものであり、懸賞応募者すなわち消費者にとっては煩わしさを意識せずに応募可能であって、懸賞実施者、すなわちメーカーにとっては応募者数の増加や購入に関するデータの迅速かつ円滑な有効利用を可能にするデータ収集システム、データ収集方法、通信端末、及び、送信プログラムを提供することを目的とするものである。
【０００８】
【課題を解決するための手段】
【０００９】
前記課題を解決するために請求項１記載の発明は、ネットワークを介して相互に接続される通信端末とネットワークサーバとで構成されるデータ収集システムであって、前記通信端末は、購入された商品に付されている当該商品固有のデータを読み取る読取手段と、この読取手段により読み取られた前記商品固有のデータの数が所定数に達したか否かを判断する第１の判断手段と、この第１の判断手段による判断の結果、前記商品固有のデータの数が所定数に達したと判断した場合、前記読取手段により読み取られた前記商品固有のデータと、前記商品の購入数が所定数に達した旨を示すデータと、前記商品の購入者を特定するデータとを送信する送信手段とを備え、前記ネットワークサーバは、前記送信手段により送信される前記商品固有のデータと、前記商品の購入数が所定数に達した旨を示すデータと、前記商品の購入者を特定するデータとを受信する受信手段と、この受信手段により受信された前記商品固有のデータと、前記商品の購入数が所定数に達した旨を示すデータと、前記商品の購入者を特定するデータとを関連付けて記憶する記憶手段とを備えることを特徴とする。
【００１０】
また、請求項２記載の発明は、ネットワークを介して相互に接続される通信端末とネットワークサーバとで構成されるデータ収集システムであって、前記通信端末は、購入された商品に付されている当該商品固有のデータを読み取る読取手段と、購入された商品の合計金額を算出する算出手段と、この算出手段により算出された前記合計金額が所定の金額となる毎にカウントアップするカウント手段と、このカウント手段によりカウントされた数が所定数に達したか否かを判断する第２の判断手段と、この第２の判断手段による判断の結果、前記カウントされた数が所定数に達したと判断した場合、前記読取手段により読み取られた前記商品固有のデータと、前記商品の購入金額が所定金額に達した旨を示すデータと、前記前記商品の購入者を特定するデータとを送信する送信手段とを備え、前記ネットワークサーバは、前記送信手段により送信される前記商品固有のデータと、前記商品の購入金額が所定金額に達した旨を示すデータと、前記前記商品の購入者を特定するデータとを受信する受信手段と、この受信手段により受信された前記商品固有のデータと、前記前記商品の購入金額が所定金額に達した旨を示すデータと、前記商品の購入者を特定するデータとを関連付けて記憶する記憶手段とを備えることを特徴とする。
【００１１】
また、請求項３記載の発明は、上記請求項１又は２に記載の発明において、 前記商品固有のデータとはバーコードデータであり、前記読取手段はバーコードリーダであることを特徴とする。
【００１２】
また、請求項４記載の発明は、上記請求項１又は２に記載の発明において、前記読取手段は、撮像装置であることを特徴とする。
【００１３】
また、請求項５記載の発明は、ネットワークを介して相互に接続される通信端末とネットワークサーバとを用いるデータ収集方法であって、前記通信端末では、購入された商品に付されている当該商品固有のデータを読み取る読取ステップと、この読取ステップにて読み取られた前記商品固有のデータの数が所定数に達したか否かを判断する第１の判断ステップと、この第１の判断ステップによる判断の結果、前記商品固有のデータの数が所定数に達したと判断した場合、前記読取ステップにて読み取られた前記商品固有のデータと、前記商品の購入数が所定数に達した旨を示すデータと、前記商品の購入者を特定するデータとを送信する送信ステップとを実行し、前記ネットワークサーバでは、前記送信ステップにて送信される前記商品固有のデータと、前記商品の購入数が所定数に達した旨を示すデータと、前記商品の購入者を特定するデータとを受信する受信ステップと、この受信ステップにて受信された前記商品固有のデータと、前記商品の購入数が所定数に達した旨を示すデータと、前記商品の購入者を特定するデータとを関連付けて記憶させる記憶ステップとを実行することを特徴とする。
【００１４】
また、請求項６記載の発明は、ネットワークを介して相互に接続される通信端末とネットワークサーバとを用いるデータ収集方法であって、前記通信端末では、購入された商品に付されている当該商品固有のデータを読み取る読取ステップと、購入された商品の合計金額を算出する算出ステップと、この算出ステップにて算出された前記合計金額が所定の金額となる毎にカウントアップするカウントステップと、このカウントステップにてカウントされた数が所定数に達したか否かを判断する第２の判断ステップと、この第２の判断ステップによる判断の結果、前記カウントされた数が所定数に達したと判断した場合、前記読取手段により読み取られた前記商品固有のデータと、前記商品の購入金額が所定金額に達した旨を示すデータと、前記商品の購入者を特定するデータとを送信する送信ステップとを実行し、前記ネットワークサーバでは、前記送信ステップにて送信される前記商品固有のデータと、前記商品の購入金額が所定金額に達した旨を示すデータと、前記商品の購入者を特定するデータとを受信する受信ステップと、この受信ステップにて受信された前記商品固有のデータと、前記前記商品の購入金額が所定金額に達した旨を示すデータと、前記商品の購入者を特定するデータとを関連付けて記憶する記憶ステップとを実行することを特徴とする。
【００１５】
また、請求項７記載の発明は、購入された商品に付されている当該商品固有のデータを読み取る読取手段と、この読取手段により読み取られた前記商品固有のデータの数が所定数に達したか否かを判断する第１の判断手段と、この第１の判断手段による判断の結果、前記商品固有のデータの数が所定数に達したと判断した場合、前記読取手段により読み取られた前記商品固有のデータと、前記商品の購入数が所定数に達した旨を示すデータと、前記商品の購入者を特定するデータとを外部に送信する送信手段とを備えたことを特徴とする。
【００１６】
また、請求項８記載の発明は、購入された商品に付されている当該商品固有のデータを読み取る読取手段と、購入された商品の合計金額を算出する算出手段と、この算出手段により算出された前記合計金額が所定の金額となる毎にカウントアップするカウント手段と、このカウント手段によりカウントされた数が所定数に達したか否かを判断する第２の判断手段と、この第２の判断手段による判断の結果、前記カウントされた数が所定数に達したと判断した場合、前記読取手段により読み取られた前記商品固有のデータと、前記商品の購入金額が所定金額に達した旨を示すデータと、前記商品の購入者を特定するデータとを送信する送信手段とを備えたことを特徴とする。
【００１７】
また、請求項９記載の発明は、通信部と読取部とを備える通信機器が有するコンピュータを、購入された商品に付されている当該商品固有のデータを前記読取部に読み取らせる読取手段、この読取手段により読み取られた前記商品固有のデータの数が所定数に達したか否かを判断する第１の判断手段、この第１の判断手段による判断の結果、前記商品固有のデータの数が所定数に達したと判断した場合、前記通信部に前記読取手段により読み取られた前記商品固有のデータと、前記商品の購入数が所定数に達した旨を示すデータと、前記商品の購入者を特定するデータと送信させる送信手段として機能させることを特徴とする。
【００１８】
また、請求項１０記載の発明は、通信部と読取部とを備える通信機器が有するコンピュータを、購入された商品に付されている当該商品固有のデータを前記読取部に読み取らせる読取手段、購入された商品の合計金額を算出する算出手段、この算出手段により算出された前記合計金額が所定の金額となる毎にカウントアップするカウント手段、このカウント手段によりカウントされた数が所定数に達したか否かを判断する第２の判断手段、この第２の判断手段による判断の結果、前記カウントされた数が所定数に達したと判断した場合、前記通信部に前記読取手段により読み取られた前記商品固有のデータと、前記商品の購入金額が所定金額に達した旨を示すデータと、前記商品の購入者を特定するデータとを送信させる送信手段として機能させることを特徴とする。
【００２１】
【発明の実施の形態】
【００２２】
以下本発明の一実施の形態について、図に従って説明する。
（第１の実施の形態）
図１に示すように、本発明の第１の実施の形態は、懸賞応募システムに適用した場合を例示するものであり、ネットワーク１に接続された懸賞実施者サーバ２と、基地局３との無線通信機能を備え、電話回線網４及びネットワーク１を介して懸賞実施者サーバ２にアクセス可能な懸賞応募者端末５、及びこの懸賞応募者端末５に接続されたバーコードリーダー６とで構成されている。
【００２３】
懸賞実施者サーバ２は図２に示すように、通信制御部２２、操作部（キーボード）２３、制御部（メインフレーム）２４、ワークメモリ２５、表示部（ディスプレイ）２６、記憶管理部２７、記録媒体読み取り部２８とがシステムバス２１により相互に接続されたシステムであり、懸賞応募者が操作する懸賞応募者端末５から送信されるデータを蓄積したり、応募者に対するメッセージの作成等を行う。
【００２４】
通信制御部２２は図１のネットワーク１、電話回線網４、基地局３を介して懸賞応募者端末５と接続し、情報の送受信を行う際、それを制御する機能を有し、モデムもしくはＬＡＮシステムに接続するポートを制御する。
【００２５】
記憶管理部２７は懸賞に応募した懸賞応募者の情報であるユーザ情報や、バーコード情報（後述するバーコードが示す情報（番号））を管理する懸賞応募者管理ＤＢ２７１とログファイル２７３とを含む。また記録媒体読み取り部２８は外部の記録媒体２９（詳細にはＣＤ−ＲＯＭ、フレキシブルディスク等の記録メディア）に記録されている情報を、操作部２３からの操作に基づいて読出し、システムバス２１に出力する機能を有する。
【００２６】
懸賞応募者管理ＤＢ２７１は図３に図示するように、当該ＤＢ内の「管理アドレス」、懸賞応募者の氏名、住所等で構成される「ユーザー情報」、応募に際し送信したバーコードが示す情報である「バーコード情報」が１つのレコードとして管理されており、このレコードが複数記憶管理される。また、ログファイル２７３は、懸賞応募者の応募履歴を統計的に記憶管理するファイルである。
【００２７】
図４は、前記懸賞応募者端末５の回路構成を示すブロック図である。同図に示すように、懸賞応募者端末５は周知の携帯電話端末であって、バス５０４に接続されたＣＰＵ５０５を有している。さらにバス５０４には、送受信部５０６、通信処理部５０７、プログラムメモリ５０８、時計部５０９、表示Ｉ／Ｆ５１０、ドライバ５１１、ユーザ情報メモリ５１２、データメモリ５１３、コネクタ５１４、操作入力部５１５、音声復号符号処理部５１６が接続されている。
【００２８】
送受信部５０６は、前記基地局３との間でデジタル信号が重畳された電波を送受信するアンテナ５１７を有し、受信されたデジタル信号は送受信共用器５１８を介して低雑音増幅器５５１に与えられ、シンセサイザー５２１から信号を与えられて動作する復調部５１９により復調され、等化器５２０により等化処理されてチャンネル符号／復号処理を行う通信処理部５０７に与えられる。また、通信処理部５０７で符号化されたデジタル信号は、シンセサイザー５２１から信号を与えられて動作する変調部５２２により変調されて、電力増幅部５２３により増幅され、送受信共用器５１８を介してアンテナ５１７から放射される。
【００２９】
プログラムメモリ５０８は、ＲＯＭからなり、アプリケーション・ソフトウェア、上位レイヤプロトコル、ドライバソフトウェアを格納しているエリアを有し、ＣＰＵ５０５は、このプログラムメモリ５０８に格納されている各種プログラムに基づき、各回路部を制御する。また、時計部５０９は、現在時刻等を計時するものである。表示Ｉ／Ｆ５１０は、表示ドライバ５２５を介してドットマトリクスタイプのカラーＬＣＤからなる表示部５２５に接続されており、表示部５２５は懸賞応募者端末５の本体前面に配置されている。そして、ＣＰＵ５０５の制御下で表示ドライバ５２５が表示部５２５を駆動することにより、表示部５２５に各種情報やメールを構成する文字を表示したり、通信サービス事業者を介してＷＷＷに接続することにより、インターネットサイトをブラウズ（閲覧）することも可能である。ＣＰＵ５０５の制御下でドライバ５１１は、ＬＥＤ５２６を駆動するものであり、ＬＥＤ５２６は懸賞応募者端末５の本体所定箇所に配置されている。
【００３０】
ユーザ情報メモリ５１２は、当該懸賞応募者端末５の端末ＩＤ、ユーザの氏名、住所、当該端末の電話番号等のユーザ情報を記憶している。データメモリ５１３はＲＡＭであって、複数の発呼先氏名と電話番号とで構成されるメモリダイアル情報や受信データ等の各種データを格納するとともに、ＣＰＵ５０５のワークエリアとしても使用される。コネクタ５１４には、前記バーコードリーダー６が接続され、操作入力部５１５は本体前面に配置されているキーで構成される。音声復号符号処理部５１６は、音声コーデックであって、バイブレータモータ５２７、スピーカ５２８、マイク５２９が接続されている。バイブレータモータ５２７は、スピーカ５２８がオフ状態にある場合において音声復号符号処理部５１６により復号された呼出音に同期して回転して振動を発生するものである。スピーカ５２８は音声復号符号処理部５１６が復号した呼出音及び受話音声を再生し、マイク５２７は入力音声を検出して音声復号符号処理部５１６に入力し、この入力音声信号は音声復号符号処理部５１６により符号化される。
【００３１】
なお、バーコードリーダー６は周知のバーコードリーダーと同一の構成であって、商品例えば図１に示した缶入り飲料７の表面に付着されている懸賞応募用シール毎に異なる懸賞応募用のバーコード８を読み取ってその情報（バーコード情報）出力するものである。
【００３２】
次に、本実施の形態の動作について説明する。
図５は、本実施の形態における懸賞応募者端末５と懸賞実施者サーバ２の処理手順を示すフローチャートである。懸賞応募者端末５のユーザは、懸賞実施商品である前記缶入り飲料７を購入後、その表面に付着されているシールのバーコード８をバーコードリーダー６により読み取らせる。すると、懸賞応募者端末５はこのバーコードリーダー６が読み取ったバーコード情報を取り込む（ステップＡ１０１）。引き続き、基地局３、電話回線網４及びネットワーク１を介して懸賞実施者サーバ２にアクセスし、この取り込んだバーコード情報を前記ユーザ情報メモリ５１２に記憶されているユーザ情報とともに送信する（ステップＡ１０２）。
【００３３】
懸賞実施者サーバ２は、これらバーコード情報とユーザ情報とからなる応募情報を受信して（ステップＢ１０１）、これを認識する（ステップＢ１０２）。さらに、認識したバーコード情報が示す番号が既に懸賞応募者管理ＤＢ２７１に記憶されている番号であるか否か、つまり既に応募されている番号であるか否かを判断する（ステップＢ１０３）。ここで、前述のように、懸賞応募用のバーコード８は、缶入り飲料７の表面に付着されているシール毎に異なるので、応募者が同じ商品に付されている同一のバーコード８を重複して送信した場合には、既に応募されている番号となる。
【００３４】
そして、受信したバーコード情報が示す番号が既に応募されている番号である場合には、エラー処理を行って（ステップＢ１０４）、エラーメッセージを作成し（ステップＢ１０５）、この作成したエラーメッセージを懸賞応募者端末５に送信する（ステップＢ１０８）。懸賞応募者端末５は、このエラーメッセージを受信して（ステップＡ１０３）、表示部５２５に表示させる。
【００３５】
他方、ステップＢ１０３での判断の結果、バーコード情報が示す番号が応募されている番号でなかった場合には、前記応募情報（ユーザ情報、バーコード情報）を図３に示した懸賞応募者管理ＤＢ２７１に記憶させる（ステップＢ１０６）。引き続き、懸賞応募確認メッセージを作成して（ステップＢ１０７）、この作成した懸賞応募確認メッセージを懸賞応募者端末５に送信する（ステップＢ１０８）。懸賞応募者端末５は、この懸賞応募確認メッセージを受信して（ステップＡ１０３）、表示部５２５に表示させ、これにより懸賞応募が完了することとなる。
（第２の実施の形態）
本発明の第２の実施の形態におけるシステム構成は、図１に示した第１の実施の形態と同様であり、懸賞実施者サーバ２と、バーコードリーダー６が接続された懸賞応募者端末５とを含んで構成される。また、懸賞実施者サーバ２及び懸賞応募者端末５も、図２〜４に示した第１の実施の形態と同様の構成である。
【００３６】
図６は、本実施の形態における懸賞応募者端末５と懸賞実施者サーバ２の処理手順を示すフローチャートである。懸賞応募者端末５のユーザは、懸賞実施商品である前記缶入り飲料７を購入後、その表面に付着されているシールに印刷されているバーコード８をバーコードリーダー６により読み取らせる。すると、懸賞応募者端末５はこのバーコードリーダー６が読み取ったバーコード情報を取り込む（ステップＡ２０１）。引き続き、基地局３、電話回線網４及びネットワーク１を介して懸賞実施者サーバ２にアクセスし、この取り込んだバーコード情報を前記ユーザ情報メモリ５１２に記憶されているユーザ情報とともに送信する（ステップＡ２０２）。
【００３７】
すると、懸賞実施者サーバ２は、これらバーコード情報とユーザ情報とからなる応募情報を受信して（ステップＢ２０１）、これを認識する（ステップＢ２０２）。さらに、この認識したバーコード情報が示す番号が既に懸賞応募者管理ＤＢ２７１に記憶されている番号であるか否か、つまり既に応募されている番号であるか否かを判断する（ステップＢ２０３）。
【００３８】
そして、受信したバーコード情報が示す番号が既に応募されている番号である場合には、エラー処理を行って（ステップＢ２０４）、エラーメッセージを作成する（ステップＢ２０５）。さらに、この作成したエラーメッセージを懸賞応募者端末５に送信する（ステップＢ２０６）。懸賞応募者端末５は、このエラーメッセージを受信して（ステップＡ２０３）、表示部５２５に表示させる。
【００３９】
他方、ステップＢ２０３での判断の結果、バーコード情報が示す番号が応募されている番号でなかった場合には、予め記憶媒体２９に記憶されているクイズを検索して（ステップＢ２０７）、この検索したクイズを懸賞応募者端末５に送信する（ステップＢ２０８）。
【００４０】
懸賞応募者端末５は、このステップＢ２０８で送信されるクイズ、及び前記ステップＢで送信されるメッセージを受信した後（ステップＢ２０３）、受信情報はクイズであるか否かを判断する（ステップＡ２０４）。受信情報がクイズであった場合には、受信したクイズを表示部５２５に表示させる（ステップ４０５）。このステップＡ２０５での処理により、図７（ａ）に例示するように、「問題あなたの飲もうとしているコーヒーの名前は？」なるクイズが懸賞応募者端末５の表示部５２５に表示される。そして、懸賞応募者端末５のユーザがこのクイズに答えるべく、操作入力部５１５にて解答をキー入力すると、解答の作成処理が行われて、図７（ｂ）に例示するように、キー入力された解答「○△コーヒー」が表示部５２５に表示され、この表示された解答が懸賞実施者サーバ２に送信される（ステップＡ２０６）。
【００４１】
懸賞実施者サーバ２は、この送信される解答であるクイズ情報を受信して（ステップＢ２０９）、正解か否かを判断する（ステップＢ２１０）。不正解であった場合には、不正解メッセージを作成して（ステップＢ２１１）、この作成した不正解メッセージを懸賞応募者端末５に送信する（ステップＢ２１４）。懸賞応募者端末５は、このエラーメッセージを受信して（ステップＡ２０７）、表示部５２５に表示させる。
【００４２】
また、ステップＢ２１０での判断の結果、正解であった場合には、前記応募情報（ユーザ情報、バーコード情報）を図３に示した懸賞応募者管理ＤＢ２７１に記憶させる（ステップＢ２１２）。引き続き、正解、応募完了メッセージを作成して（ステップＢ２１３）、この作成した正解、応募完了メッセージを懸賞応募者端末５に送信する（ステップＢ２１４）。懸賞応募者端末５は、この正解、応募完了メッセージを受信して（ステップＡ２０６）、表示部５２５に表示させ、これにより懸賞応募が完了することとなる。
（第３の実施の形態）
本発明の第３の実施の形態におけるシステム構成は、図１に示した第１の実施の形態と同様の構成であり、懸賞実施者サーバ２と、バーコードリーダー６が接続された懸賞応募者端末５とを含んで構成される。また、懸賞実施者サーバ２及び懸賞応募者端末５も、図２〜４に示した第１の実施の形態と同様の構成である。
【００４３】
図８は、本実施の形態における懸賞応募者端末５と懸賞実施者サーバ２の処理手順を示すフローチャートである。懸賞実施者サーバ２は、懸賞応募一口当たりの商品個数、つまり一口の懸賞応募が可能な商品の個数を予め設定する（ステップＢ３０１）。例えば、前記缶入り飲料７を４本で一口の懸賞応募が可能とする場合、一口の懸賞応募が可能な商品の個数「４」を予め設定する。
【００４４】
一方、懸賞応募者端末５のユーザは、懸賞実施商品である前記缶入り飲料７を購入後、図９（ａ）に示すように、その表面に付着されているシールのバーコード８をバーコードリーダー６により読み取らせる。すると、懸賞応募者端末５はこのバーコードリーダー６が読み取ったバーコード情報が示す商品情報を取り込む（ステップＡ３０１）。次に、操作入力部５１５に設けられている所定のキーを操作することによる応募指示があったか否かを判断する（ステップＡ３０２）。応募指示があった場合には、基地局３、電話回線網４及びネットワーク１を介して懸賞実施者サーバ２にアクセスし、この取り込んだ商品情報を前記ユーザ情報メモリ５１２に記憶されているユーザ情報とともに送信する（ステップＡ３０３）。
【００４５】
すると、懸賞実施者サーバ２は、これら商品情報とユーザ情報とからなる応募情報を受信して（ステップＢ３０２）、一口あたりの応募可能個数分のデータ（商品情報）があるか否かを判断する（ステップＢ３０３）。そして、一口あたりの応募可能個数分のデータ（本実施の形態の場合４個分のデータ）がある場合には、後述するステップＢ３０５の処理を実行する。また、一口あたりの応募可能個数分のデータがない場合には、商品名と一口あたりの応募可能個情報を懸賞応募者端末５に送信する（ステップＢ３０４）。
【００４６】
懸賞応募者端末５は、これを受信して（ステップＡ３０４）、これら商品名と一口あたりの応募可能個情報をデータメモリ５１３に記憶させる（ステップＡ３０５）。また、前述のステップＡ３０１で商品情報を取り込んだ商品の個数情報をデータメモリ５１３に記録する（ステップＡ３０６）。そして、このデータメモリ５１３に記憶した一口あたりの応募可能個情報と、商品情報を取り込んだ商品の個数情報とに基づき、現在の個数情報を表示するとともに、応募口数を算出して表示する（ステップＡ３０７）。このステップＡ３０７での処理により、例えば現時点まで商品情報を取り込んだ商品の個数が「１」であったとすると、懸賞応募者端末５の表示部５２５には、図９（ｂ）に示すように、「応募一口まであと３本  現在の応募口数；０」が表示されることとなる。
【００４７】
次に、現時点まで商品情報を取り込んだ商品の個数が応募可能個数に達したか否かを判断する（ステップＡ３０８）。このとき、前記ステップＡ３０１の処理で、図９（ｃ）に示すように、残り三本の缶入り飲料７のバーコード８をバーコードリーダー６に読み込ませたとすると、現時点まで商品情報を取り込んだ商品の個数が応募可能個数に達したこととなる。したがって、ステップＡ３０８の判断がＹＥＳとなって、商品応募送信処理を実行する（ステップＡ３０９）。すなわち、ユーザ情報メモリ５１２から読み出した当該ユーザの氏名、住所等のユーザ情報と応募一口を示すデータとを作成して、この作成した情報を懸賞実施者サーバ２に送信する。すると、懸賞実施者サーバ２は、応募情報処理を行う（ステップＢ３０５）。
【００４８】
このステップＢ３０６の応募情報処理において懸賞実施者サーバ２は、前記情報を受信して、例えば所定の懸賞応募期間内での応募であるか否かを判断し、懸賞応募期間を経過した後の応募である場合には、エラー処理を行って、エラーメッセージを作成する。また、懸賞応募期間内での応募である場合には、応募情報（ユーザ情報、口数）を図３に示した懸賞応募者管理ＤＢ２７１に記憶させ、懸賞応募確認メッセージを作成する。
【００４９】
そして、これら作成したエラーメッセージ又は懸賞応募確認メッセージを懸賞応募者端末５に送信する（ステップＢ３０６）。懸賞応募者端末５は、ステップＢ３０６で送信されたエラーメッセージ又は懸賞応募確認メッセージを受信して（ステップＡ３１０）、データメモリ５１３に記憶させてある応募口数情報や現時点まで商品情報を取り込んだ商品の個数情報を更新するとともに、データメモリ５１３の記憶内容を表示部５２５に表示させる。これにより、図９（ｄ）に示すように、「応募一口まであと４本  現在の応募口数；１」が表示されることとなる。
（第４の実施の形態）
図１０に示すように、本発明の第４の実施の形態にかかるシステムは、ネットワーク１に接続された懸賞実施者サーバ２と、基地局３との無線通信機能を備え、電話回線網４及びネットワーク１を介して懸賞実施者サーバ２にアクセス可能なレジスター９、及びこのレジスター９に接続されたバーコードリーダー６とで構成されている。懸賞実施者サーバ２は前述の図２に示した第１の実施の形態と同様の構成からなり、図３に示した懸賞応募者管理ＤＢ２７１を有している。
【００５０】
レジスター９は、図１１の概略構成ブロック図に示すように、各部を制御するＣＰＵ９５１を中心にして構成されている。ＣＰＵ９５１には、入出力部９５２、位置検出回路９５３、表示駆動回路９５４、メモリ９５５、送受信部９５６、システムメモリ９５７、記録媒体読み取り部９５８、及びＲＡＭ９６２が接続されている。入出力部９５２は、一般的にレジスターが具備する各種ボタン及び後述する「応募」「非応募」のキーからなる懸賞キーが設けられたキーボード９０２、レシート紙に印字を行うプリンタ部９６３、前記バーコードリーダー６が接続されている。
【００５１】
前記位置検出回路９５３は、タブレット９５９でのペン入力等に伴いその入力位置を検出するものであり、表示駆動回路９５４はＬＣＤで構成される表示部９６０を駆動するものである。メモリ９５５はハードディスク（ＨＤ）で構成される。このメモリ９５５において、ユーザ情報記憶エリア９５５１は、懸賞応募者の氏名、住所等で構成される「ユーザー情報」を記憶する領域であり、その他記憶エリア９５５２は、ＣＰＵ９５１のワークエリアである。
【００５２】
送受信部９５６は電話回線網４と通信を行うための変調器や復調器等で構成されている。システムメモリ９５７には、ＯＳ（Operating System）が格納されており、記録媒体読み取り部９５８は記録媒体９６１に記憶されているプログラムを読み取るものである。そして、この記録媒体読み取り部９５８が記録媒体９６１から読み取ったプログラムに基づき、後述するフローチャートに示すように、ＣＰＵ９５１が必要な処理を実行し、あるいは各部を制御するように構成されている。ＲＡＭ９６２は外部から入力されたデータを一時的に記憶するワークメモリとしての機能を有する。
【００５３】
次に、本実施の形態の動作について説明する。
図１２は、レジスター９と懸賞実施者サーバ２の処理手順を示すフローチャートである。すなわち、懸賞応募者は商品棚から缶入り飲料７を取り出して、レジスター９を操作するレジ係に持参する。レジ係は缶入り飲料７の表面に付されているシールのバーコード８をバーコードリーダー６により読み取らせる。すると、レジスター９はこのバーコードリーダー６が読み取ったバーコード情報を取り込む（ステップＣ４０１）。引き続き、レジ係がキーボード９０２にて行った懸賞キーの操作を入力させて（ステップＣ４０２）、入力キーが「応募」ボタンであったか否かを判断する（ステップＣ４０３）。入力キーが「応募」ボタンではなく「非応募」ボタンであった場合には、レジスター処理を行って（ステップＣ４０７）、プリンタ部９６３によりレシート紙に領収金額等の印字を行う。
【００５４】
また、ステップＣ４０３での判断の結果、入力キーが「応募」ボタンであった場合には、懸賞応募情報の作成処理を実行する（ステップＣ４０４）。すなわち、ユーザ情報記憶エリア９５５１から読み出した当該缶入り飲料７の購入者である懸賞応募者の氏名、住所等のユーザ情報と前記ステップＣ４０１で取り込んだバーコード情報とからなる懸賞応募情報を作成する。引き続き、この作成した懸賞応募情報を懸賞実施者サーバ２に送信する（ステップＣ４０５）。すると、懸賞実施者サーバ２は、応募情報処理を行って（ステップＢ４０１）、前述した図５のフローチャートにおいて鎖線で囲んだステップＢ１０１〜Ｂ１０７の処理を実行する（ステップＢ４０１）。
【００５５】
すなわち、懸賞実施者サーバ２は、バーコード情報とユーザ情報とからなる応募情報を受信して（ステップＢ１０１）、これを確認する（ステップＢ１０２）。さらに、受信したバーコード情報が示す番号が既に懸賞応募者管理ＤＢ４７１に記憶されている番号であるか否か、つまり既に応募されている番号であるか否かを判断する（ステップＢ１０３）。受信したバーコード情報が示す番号が既に応募されている番号である場合には、エラー処理を行って（ステップＢ１０４）、エラーメッセージを作成する（ステップＢ１０５）。また、ステップＢ１０３での判断の結果、バーコード情報が示す番号が応募されている番号でなかった場合には、前記応募情報（ユーザ情報、バーコード情報）を図３に示した懸賞応募者管理ＤＢ４７１に記憶させ（ステップＢ１０６）、懸賞応募確認メッセージを作成する（ステップＢ１０７）。
【００５６】
そして、これら作成したエラーメッセージ又は懸賞応募確認メッセージをレジスター９に送信する（ステップＢ４０２）。レジスター９は、ステップＢ４０２で送信されたエラーメッセージ又は懸賞応募確認メッセージを受信して（ステップＣ４０６）、表示部９６０に表示させる。しかる後に、前述したレジスター処理（ステップ４０７）を実行することにより、これにより一連の処理が完了することとなる。
（第５の実施の形態）
本発明の第５の実施の形態におけるシステム構成は、図１０に示した第４の実施の形態と同様の構成であり、懸賞実施者サーバ２とレジスター９とを含んで構成される。また、懸賞実施者サーバ２は、図２に示した第１の実施の形態と同様の構成であり、レジスター９は、図１１に示した第５の実施の形態と同様の構成である。
図１３は、本実施の形態におけるレジスター９と懸賞実施者サーバ２の処理手順を示すフローチャートである。すなわち、懸賞実施者サーバ２は、レジスター９に一口の懸賞応募が可能な商品購入金額である懸賞応募金額を送信する（ステップＢ５０１）。レジスター９は、この懸賞応募金額を受信してＲＡＭ９２６に記憶させる（ステップＣ５０１）。
【００５７】
この状態で、懸賞応募者は商品棚から購入を希望する複数の商品を取り出して、レジスター９を操作するレジ係に持参する。レジ係は各商品の表面に付されているシールのバーコードをバーコードリーダー６により読み取らせる。すると、レジスター９はこのバーコードリーダー６が読み取ったバーコード情報に基づき商品金額を取り込み、購入希望書品の合計金額を計算する（ステップＣ５０２）。次に、この計算した合計金額が前記懸賞応募金額に達したか否かを判断し（ステップＣ５０３）、懸賞応募金額に達する毎に応募口数の値をカウントアップさせる（ステップＣ５０４）。さらに、キーボード９０２での合計キー操作に基づき、全商品をレジに通したか否かを判断し（ステップＣ５０５）、レジ係が全商品のバーコードをバーコードリーダー６で読み取らせた後、キーボード９０２で合計キーの操作を行うと、ステップＣ５０５からステップＣ５０６に進む。そして、このステップＣ５０６で、応募口数分懸賞応募情報を送信する。
【００５８】
すなわち、ユーザ情報記憶エリア９５５１から読み出した商品購入者である懸賞応募者の氏名、住所等のユーザ情報と前記ステップＣ５０４でカウントした応募口数とからなる応募口数分懸賞応募情報を作成して、この作成した懸賞応募情報を懸賞実施者サーバ２に送信する（ステップＣ５０６）。すると、懸賞実施者サーバ２は、応募情報処理を行う（ステップＢ５０２）。
【００５９】
このステップＢ５０２の応募情報処理において懸賞実施者サーバ２は、応募口数分懸賞応募情報を受信して、例えば所定の懸賞応募期間内での応募であるか否かを判断し、懸賞応募期間を経過した後の応募である場合には、エラー処理を行って、エラーメッセージを作成する。また、懸賞応募期間内での応募である場合には、前記応募情報（ユーザ情報、口数）を図３に示した懸賞応募者管理ＤＢ２７１に記憶させ、懸賞応募確認メッセージを作成する。
【００６０】
そして、これら作成したエラーメッセージ又は懸賞応募確認メッセージをレジスター９に送信する（ステップＢ５０３）。レジスター９は、ステップＢ５０３で送信されたエラーメッセージ又は懸賞応募確認メッセージを受信して（ステップＣ５０７）、表示部９６０に表示させることより一連の処理が完了することとなる。
（第６の実施の形態）
図１４に示すように、本発明の第６の実施の形態にかかるシステムは、ネットワーク１に接続された懸賞実施者サーバ２と、基地局３との無線通信機能を備え、電話回線網４及びネットワーク１を介して懸賞実施者サーバ２にアクセス可能な懸賞応募者端末５、及びこの懸賞応募者端末５に接続されたデジタルカメラ１０とで構成されている。懸賞実施者サーバ２は前述の図２に示した第１の実施の形態と同様の構成からなり、図３に示した懸賞応募者管理ＤＢ２７１を有している。また、懸賞応募者端末５も、図４に示した第１の実施の形態と同様の構成であるが、バーコードリーダー６に代わってデジタルカメラ１０がコネクタ５１４に接続されている点においてのみ、第１の実施の形態とは異なっている。
図１５は、本実施の形態における懸賞応募者端末５と懸賞実施者サーバ２の処理手順を示すフローチャートである。懸賞応募者端末５のユーザは、懸賞実施商品である前記缶入り飲料７を購入後、図１４に示すように、その表面に印刷されているバーコードからなり当該商品に固有の番号である商品固有番号をデジタルカメラ１０により撮像する。すると、懸賞応募者端末５はこのデジタルカメラ１０からの画像を取り込む（ステップＡ６０１）。引き続き、基地局３、電話回線網４及びネットワーク１を介して懸賞実施者サーバ２にアクセスし、この取り込んだ画像を前記ユーザ情報メモリ５１２に記憶されているユーザ情報とともに送信する（ステップＡ６０２）。
【００６１】
すると、懸賞実施者サーバ２は、これら画像とユーザ情報とからなる応募情報を受信して（ステップＢ６０１）、画像を解析する（ステップＢ６０２）。さらに、解析した画像が示す商品固有番号が既に懸賞応募者管理ＤＢ２７１に記憶されている番号であるか否か、つまり既に応募されている番号であるか否かを判断する（ステップＢ６０３）。ここで、前述のように、商品固有番号は商品毎に異なるので、応募者が同じ商品に付されている番号を重複して送信した場合には、既に応募されている番号となる。
【００６２】
そして、受信した画像が示す商品固有番号が既に応募されている番号である場合には、エラー処理を行って（ステップＢ６０４）、エラーメッセージを作成する（ステップＢ６０５）。さらに、この作成したエラーメッセージを懸賞応募者端末５に送信する（ステップＢ６０８）。懸賞応募者端末５は、このエラーメッセージを受信して（ステップＡ６０３）、表示部５２５に表示させる。
【００６３】
他方、ステップＢ６０３での判断の結果、画像が示す商品固有番号が応募されている番号でなかった場合には、前記応募情報（商品固有番号、ユーザ情報）を図３に示した懸賞応募者管理ＤＢ２７１に記憶させる（ステップＢ６０６）。引き続き、懸賞応募確認メッセージを作成して（ステップＢ６０７）、この作成した懸賞応募確認メッセージを懸賞応募者端末５に送信する（ステップＢ６０８）。懸賞応募者端末５は、この懸賞応募確認メッセージを受信して（ステップＡ６０３）、表示部５２５に表示させ、これにより懸賞応募が完了することとなる。
【００６４】
なお、本発明の実施の形態においては読取手段として、第１〜第５の実施の形態ではバーコードリーダー６を用い、第６の実施の形態ではデジタルカメラ１０を用いるようにしたが、第１〜第５の実施の形態においても第６の実施の形態と同様に読取手段としてデジタルカメラ１０を用い、また、第６の実施の形態においても第１〜第５の実施の形態と同様に読取手段としてバーコードリーダー６を用いるようにしてもよい。
【００６５】
さらに、本実施の形態は本発明を懸賞応募システムに適用した場合を例示したものであるが、これに限定されることなく、リサイクルシステムや、アンケートシステムなど、一度市場に出された商品についてデータを収集する目的で構築されるシステム、及び方法に適用されることはいうまでもないことである。
【００６６】
【発明の効果】
【００６７】
以上説明したように本発明によれば、通信端末の読取手段により商品に付されている当該商品固有のデータを読み取らせることにより、ネットワークサーバに前記商品固有のデータと前記通信端末の所有者を特定するデータとが関連付けて記憶される。よって、懸賞応募に適用した場合は、懸賞応募者は煩わしさを意識せずに懸賞応募可能となり、その結果、応募者数の増加が期待できる。
また、例えば、複数個の商品を購入した場合一口の懸賞応募が可能となる懸賞方式において、通信端末側の処理により、懸賞応募者は煩わしさを意識せずに懸賞応募可能になる。
また、例えば、商品の種類は問わずある一定額の商品を購入した場合一口の懸賞応募が可能となる懸賞方式において、通信端末側の処理により、懸賞応募者は煩わしさを意識せずに懸賞応募可能になる。
【図面の簡単な説明】
【図１】本発明の第１の本実施の形態を示すシステム構成図である。
【図２】懸賞実施者サーバの回路構成を示すブロック構成図である。
【図３】懸賞応募者管理用ＤＢのメモリ構成図である。
【図４】懸賞応募者端末の回路構成を示すブロック図である。
【図５】第１の実施の形態においける懸賞実施者サーバと懸賞応募者端末の処理手順を示すフローチャートである。
【図６】本発明の第２の実施の形態においける懸賞実施者サーバと懸賞応募者端末の処理手順を示すフローチャートである。
【図７】同実施の形態における懸賞応募者端末側の表示画面例を示す図である。
【図８】本発明の第３の実施の形態においける懸賞実施者サーバと懸賞応募者端末の処理手順を示すフローチャートである。
【図９】同実施の形態の応募手順と懸賞応募者端末側の表示画面例を示す図である。
【図１０】本発明の第４の本実施の形態を示すシステム構成図である。
【図１１】レジスターの回路構成を示すブロック図である。
【図１２】第４の実施の形態においける懸賞実施者サーバと懸賞応募者端末の処理手順を示すフローチャートである。
【図１３】本発明の第５の実施の形態においける懸賞実施者サーバと懸賞応募者端末の処理手順を示すフローチャートである。
【図１４】本発明の第６の本実施の形態を示すシステム構成図である。
【図１５】第６の実施の形態においける懸賞実施者サーバと懸賞応募者端末の処理手順を示すフローチャートである。
【符号の説明】
１    ネットワーク
２    懸賞実施者サーバ（ネットワークサーバ）
３    基地局
４    電話回線網
５    懸賞応募者端末（通信端末、送信手段）
６    バーコードリーダー（読取手段）
７    缶入り飲料
８    バーコード
９    レジスター
１０    デジタルカメラ（撮像手段）
２１    システムバス
２２    通信制御部（受信手段）
２３    操作部
２４    制御部（第３の判断手段）
２５    ワークメモリ
２７    記憶管理部
２９    記録媒体
２７１    懸賞応募者管理ＤＢ（記憶手段）
５０５    ＣＰＵ（第１の判断手段、第２の判断手段）
５０６    送受信部
５０７    通信処理部（送信手段）
５０８    プログラムメモリ
５１２    ユーザ情報メモリ
５１３    データメモリ
９５５１    ユーザ情報記憶エリア
【図１】
0003991647.tif 000002
【図２】
0003991647.tif 000003
【図３】
0003991647.tif 000004
【図４】
0003991647.tif 000005
【図５】
0003991647.tif 000006
【図６】
0003991647.tif 000007
【図７】
0003991647.tif 000008
【図８】
0003991647.tif 000009
【図９】
0003991647.tif 000010
【図１０】
0003991647.tif 000011
【図１１】
0003991647.tif 000012
【図１２】
0003991647.tif 000013
【図１３】
0003991647.tif 000014
【図１４】
0003991647.tif 000015
【図１５】
0003991647.tif 000016